(57)【要約】  【課題】冷蔵庫の保鮮に高電圧の印加によって機能する静電霧化装置を搭載する場合の安全性を高める。  【解決手段】霧化部１３１と高電圧発生回路部１２５からなる静電霧化装置１１５が搭載された野菜室において、高電圧発生回路部１２５に電源供給を行う電源回路１３４と、冷蔵庫の制御を行う制御回路１３５とからなる制御装置１３６との間に野菜室扉の開閉を検知するドア開閉検知手段を設けることにより、野菜室扉が開状態の時は、高電圧発生回路部１２５への電源供給が直接遮断され、霧化部１３１の帯電部及びその周辺にある構造対や収納物は基準電位以下に抑制されるので、万が一、人が接触した場合においても不安全を回避することができる。【選択図】図４
2008286462.tif 000002
【特許請求の範囲】
【請求項１】
霧化部と高電圧発生回路からなる霧化装置と、前記霧化装置に電源を供給する電源回路と制御回路からなる制御装置と、ドアの開閉を検知するドア開閉検知手段とを備え、前記ドア開閉検知手段によりドアが開を検知した場合は、前記霧化装置への電源供給を遮断することを特徴とする冷蔵庫。
【請求項２】
前記ドア開閉検知手段は、前記霧化装置と前記制御装置の間に設けられた接点部を有し、前記霧化装置への電源供給を前記接点部に設けられた接点により遮断することを特徴とする請求項１に記載の冷蔵庫。
【請求項３】
前記ドア開閉検知手段は、マグネットにより接点を開閉するリードスイッチであることを特徴とする請求項２に記載の冷蔵庫。
【請求項４】
前記ドア開閉検知手段は、押し込み力により接点を開閉するプッシュ式スイッチであることを特徴とする請求項２に記載の冷蔵庫。
【請求項５】
前記ドア開閉検知手段は、前記霧化装置と前記制御装置の間に設けられた接点部を有し、前記接点部に設けられた接点により電源供給を遮断する手段であって、前記制御装置の制御回路からの信号により電源供給を遮断する手段とともに用いたことを特徴とする請求項１に記載の冷蔵庫。
【発明の詳細な説明】
【技術分野】
【０００１】
本発明は、高電圧の印加によって機能する霧化装置を備えた冷蔵庫に関するものである。
【背景技術】
【０００２】
近年の冷蔵庫において、高電圧を印加することで、食品の鮮度保持能力の向上、脱臭、抗菌効果を促す装置を備えたものが増加している。
【０００３】
このように、冷蔵庫に付加され得る機能の一つである高電圧を印加される霧化装置として、静電霧化を利用した液体噴霧装置がある（例えば、特許文献１参照）。
【０００４】
図５は、従来の液体噴霧装置の概要構成を示し、液体を噴射するノズル２０１と、これにて噴射される液体に静電気を帯電させて霧化するために高電圧の電界を形成する帯電部２０２と、その帯電部２０２を帯電させる高電圧電源２０６とからなる。この例の帯電部２０２は、ノズル２０１から噴射される液体の水柱２０３を、帯電電極２０４にて誘電帯電法により静電霧化し、つまり高電圧の電界を通過させることにより粒径を小さくして、帯電した微粒子の水滴２０５として噴霧する。
【０００５】
図６はその一例で、ノズル２０１の一部を円筒形の帯電電極２０４内に突入させ、高電圧電源２０６によりノズル２０１をプラス極、帯電電極２０４をマイナス極として高電圧を印加し、ノズル２０１から噴射される液体の微粒子の水滴２０５をマイナスに帯電させて静電霧化する。このようにマイナスに帯電させた場合には、マイナスイオン効果も発揮できる。液体に、ビタミンＣ等の酸化防止剤や殺菌剤を混合し、これらを同時に静電霧化して噴霧することにより、酸化防止剤にて空気中に滞留している活性酸素を除去したり、殺菌剤にて殺菌することができる。帯電電極２０４による帯電部２０４の先に、接地された静電吸着部（図示せず）を設置すれば、液体の水滴２０５と同時に空気中の浮遊微粒子等を静電気にて吸着回収することができる。図７に示すように、ノズル２０１自体に高電圧を直接印加すれば、ノズル２０１自体を帯電部として、消臭剤をノズル２０１にて噴霧と同時に直接帯電させることができる。図６の構造および図７の構造のいずれも、冷蔵庫に内蔵し、冷蔵庫内の保湿や、脱臭等に応用することが考えられる。
【特許文献１】特開２００５−２７０６６９号公報
【発明の開示】
【発明が解決しようとする課題】
【０００６】
しかしながら、上記従来の液体噴霧装置を冷蔵庫に取り付けた場合、高電圧を印加される帯電部は、機能上冷蔵庫庫内に露出され、また帯電部の周囲は電界により冷蔵庫庫内の構造体や収納物が高電位に帯電される。
【０００７】
そのため、冷蔵庫庫内において帯電部に人が触れた場合や、構造体や収納物が静電気的に導電物で有った場合、人が触れた際に一気に放電し、人が電撃を受けることがある。この電撃は帯電部や帯電物の静電容量が大きくなるほど強く、場合によっては激しい傷みを伴うものである。
【０００８】
このような帯電現象は、帯電物からの自然放電が起き難い低温乾燥環境の密閉空間では特に深刻で、冷蔵庫はこれに該当する。
【０００９】
本発明は、上記従来の課題を解決するもので、高電圧帯電に起因する高圧電源の供給を冷蔵庫のドアを開いた状態では遮断することにより帯電部やその周辺にある構造体や収納物を基準電位以下に抑制し、万が一、人が接触した場合においても不安全を回避することができる冷蔵庫を提供するものである。
【課題を解決するための手段】
【００１０】
上記従来の課題を解決するために、本発明の冷蔵庫は、霧化部と高電圧発生回路からなる霧化装置と、前記霧化装置に電源を供給する電源回路と制御回路からなる制御装置と、ドアの開閉を検知するドア開閉検知手段とを備え、前記ドア開閉検知手段によりドアが開を検知した場合は、前記霧化装置への電源供給を遮断するものである。
【００１１】
これによって、冷蔵庫のドアが閉まっている場合、冷蔵庫庫内の高電圧による帯電部や帯電部の周囲の電界により高電位に帯電された構造体や収納物は、冷蔵庫のドアを開けた場合、高圧電源の供給を遮断することにより帯電部やその周辺にある構造体や収納物を基準電位以下に抑制し、万が一、人が接触した場合においても感電等を回避することができる。
【発明の効果】
【００１２】
本発明の冷蔵庫は、高電圧を印加される霧化装置を備えた冷蔵庫において、ドアが開を検知した場合は、霧化装置への電源供給を遮断することで、高電圧による帯電部やその周辺にある構造体や収納物を基準電位以下に抑制し、万が一、人が接触した場合においても感電等を回避することができる。
【発明を実施するための最良の形態】
【００１３】
請求項１に記載の発明は、霧化部と高電圧発生回路からなる霧化装置と、前記霧化装置に電源を供給する電源回路と制御回路からなる制御装置と、ドアの開閉を検知するドア開閉検知手段とを備え、前記ドア開閉検知手段によりドアが開を検知した場合は、前記霧化装置への電源供給を遮断するものであり、冷蔵庫のドアが閉まっている場合、冷蔵庫庫内の高電圧による帯電部や帯電部の周囲の電界により高電位に帯電された構造体や収納物は、冷蔵庫のドアを開けた場合、高圧電源の供給を遮断することにより帯電部やその周辺にある構造体や収納物を基準電位以下に抑制し、万が一、人が接触した場合においても感電等を回避することができる。
【００１４】
請求項２に記載の発明は、請求項１に記載の発明において、前記ドア開閉検知手段は、前記霧化装置と前記制御装置の間に設けられた接点部を有し、前記霧化装置への電源供給を前記接点部に設けられた接点により遮断するものであり、ドア開閉検知手段による電源供給の遮断を制御回路からの信号により実施するものでなく、直接行うことにより、回路にかかるノイズ等による誤動作を回避し信頼性の向上をはかることができる。
【００１５】
請求項３に記載の発明は、請求項２に記載の発明において、前記ドア開閉検知手段は、マグネットにより直接接点を開閉するリードスイッチであり、外部からのいたずらに対する動作不具合がなく、高電圧の遮断を確実に実施することができる。
【００１６】
請求項４に記載の発明は、請求項２に記載の発明において、前記ドア開閉検知手段は、押し込み力により直接接点を開閉するプッシュ式スイッチであり、外部からの電気、磁界等による誤動作がなく、高電圧の遮断を確実に実施することができる。
【００１７】
請求項５に記載の発明は、請求項１に記載の発明において、前記ドア開閉検知手段は、前記霧化装置と前記制御装置の間に設けられた接点部を有し、前記接点部に設けられた接点により電源供給を遮断する手段であって、前記制御装置の制御回路からの信号により電源供給を遮断する手段とともに用いたものであり、ドア開閉時の高電圧の遮断に関し、さらに安全性を向上させることができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の側断面図である。図２は本発明の実施の形態１における野菜室の側断面図である。
【００２０】
図１、図２において、冷蔵庫１０１は箱体本体１０２と貯蔵室の区画をつくるための仕切りが上から１０３ａ、１０３ｂ、１０３ｃ、それら区画を閉空間にするための扉が上から１０４ａ、１０４ｂ、１０４ｃ、１０４ｄにより各断熱区画され、上から冷蔵室１０５、切替室１０６、野菜室１０７、冷凍室１０８の異なる温度の貯蔵空間になっている。その中で、野菜室１０７は扉開閉がなければ湿度約８０％Ｒ．Ｈ以上（食品収納時）、４〜６℃に冷却されている。
【００２１】
また、冷蔵庫１０１を冷却するため、冷凍サイクルが圧縮機１１１、凝縮器、膨張弁やキャピラリチューブなどの減圧装置（図示せず）、蒸発器１１２、それら構成部品を連結する配管、冷媒（図示せず）などで構成される。
【００２２】
さらに蒸発器１１２で生成された低温空気を各貯蔵室空間に搬送、もしくは貯蔵室空間で熱交換された空気を蒸発器１１２に回収するための風路１１３があり、風路１１３は各貯蔵室と仕切り１１４で断熱されている。
【００２３】
次に野菜室１０７において、野菜室１０７の背面には、野菜室ケース１１６内に向けて微細ミストを噴霧するための高電圧によって機能する静電霧化装置１１５が配設され、また、仕切り１０３ｂの前面には、野菜室１０７の野菜室扉１０４ｃの開閉を検知するドア開閉検知手段１１０が配設されている。
【００２４】
静電霧化装置１１５は、回収された水分を野菜室１０７内に噴霧するための形状を有したノズル先端部１２２と回収された水分に高電圧を印加する印加電極１２３と先端部１２２の近傍に一定距離を保つように設けられた対向電極１２４からなる霧化部１３１と、印加電極１２３に高電圧を供給する高電圧発生回路部１２５からなり、高電圧発生回路部１２５により数キロボルトのマイナス極性電圧が印加され、対向電極１２４は高電圧発生回路部１２５の基準電圧またはプラス数キロボルトのプラス極性電圧が印加されている。
【００２５】
ドア開閉検知手段１１０は、野菜室扉１０４ｃに設置されたマグネット１１７により動作するリードスイッチであり、野菜室扉１０４ｃが閉じた状態では、内部の接点が閉状態であり、野菜室扉１０４ｃが開いた状態では接点は開状態となる。
【００２６】
図３は、本発明の実施の形態１における冷蔵庫の制御ブロック図である。
【００２７】
霧化部１３１と高電圧発生回路部１２５からなる静電霧化装置１１５と、高電圧発生回路部１２５に電源供給を行う電源回路１３４と冷蔵庫の制御を行う制御回路１３５とからなる制御装置１３６との間にドア開閉検知手段１１０が設けられている。
【００２８】
以上のように構成された冷蔵庫についてその動作を説明する。
【００２９】
まず野菜室１０７の野菜室扉１０４ｃが閉じた状態の場合、野菜室扉１０４ｃに設置されたマグネット１１７の磁界によりドア開閉検知手段１１０の接点は閉状態であり制御装置１３６の電源回路１３４から静電霧化装置１１５の高電圧発生回路部１２５に出力電圧が印加され、高電圧発生回路部１２５より印加電極１２３と対向電極１２４に高電圧の静電エネルギーが供給される。その静電エネルギーにより、ノズル先端部１２２に付着した水分は、微細化され、さらに液滴が帯電しているためレイリー分裂により数ｎｍから数μｍの微粒子に霧化され、野菜室１０７に噴霧されることにより庫内をすばやく加湿する。
【００３０】
更に、噴霧された微細ミストはマイナス極性に帯電しているため、ＯＨラジカルなどを多く含んでおり、殺菌、抗菌、除菌などに効果がある他、酸化分解による農薬除去や抗酸化によるビタミンＣ量などの栄養素の増加を野菜に促す。
【００３１】
次に、野菜室１０７の野菜室扉１０４ｃが開いた状態の場合、ドア開閉検知手段１１０の接点は開状態になり制御装置１３６の電源回路１３４からの出力は遮断され、静電霧化装置１１５の高電圧回路１２５からの出力電圧は遮断される。
【００３２】
それにより、霧化部１３１の印加電極１２３や対向電極１２４及びその周辺にある構造対や収納物は基準電位以下に抑制される。
【００３３】
以上のように、冷蔵庫１０１の野菜室１０７に静電霧化装置１１５を設け、野菜室１０７の保鮮を行う場合、霧化部１３１と高電圧回路部１２５からなる静電霧化装置１１５と、高電圧発生回路部１２５に電源供給を行う電源回路１３４と冷蔵庫の制御を行う制御回路１３５とからなる制御装置１３６との間に接点を有したドア開閉検知手段１１０を設けることにより、冷蔵庫のドアが閉まっている場合、冷蔵庫庫内の高電圧による帯電部や帯電部の周囲の電界により高電位に帯電された構造体や収納物は、冷蔵庫のドアを開けた場合、高圧電源の供給を遮断されることにより帯電部やその周辺にある構造体や収納物を基準電位以下に抑制し、万が一、人が接触した場合においても感電等を回避することができる。
【００３４】
なお、ドア開閉検知手段１１０が、外部から容易に動作することができないように設計された、プッシュ式の接点開閉装置としてもよい。
【００３５】
この構成により、外部からの電気、磁界等による誤動作がなく、高電圧の遮断を確実に実施することができる。
【００３６】
（実施の形態２）
図４は本発明の実施の形態２における冷蔵庫の制御ブロック図である。
【００３７】
印加電極１２３と対向電極１２４を有した霧化部１３１と高電圧発生回路部１２５からなる静電霧化装置１１５と、高電圧発生回路部１２５に電源供給を行う電源回路１３４と冷蔵庫の制御を行う制御回路１３５とからなる制御装置１３６とを有し、野菜室１０７の野菜室扉１０４ｃの開閉を検知するドア開閉検知手段１１０として、リードスイッチからなる直接接点の開閉を行う第一のドア開閉検知手段１１０ａを静電霧化装置１１５と制御装置１３６の間に設け、ホール素子からなる第二のドア開閉検知手段１１０ｂを制御装置１３６に信号出力するように設けられている。
【００３８】
以上のように構成された冷蔵庫についてその動作を説明する。
【００３９】
まず野菜室１０７の野菜室扉１０４ｃが閉じた状態の場合、野菜室扉１０４ｃに設置されたマグネット１１７の磁界により第一のドア開閉検知手段１１０ａの接点は閉状態であり、また第二のドア開閉検知手段１１０ｂの信号により制御装置１３６の電源回路１３４から静電霧化装置１１５の高電圧発生回路部１２５に出力電圧が印加され、高電圧発生回路部１２５より印加電極１２３と対向電極１２４に高電圧の静電エネルギーが供給される。その静電エネルギーにより、ノズル先端部１２２に付着した水分は、微細化され、さらに液滴が帯電しているためレイリー分裂により数ｎｍから数μｍの微粒子に霧化され、野菜室１０７に噴霧されることにより庫内をすばやく加湿する。
【００４０】
次に、野菜室１０７の野菜室扉１０４ｃが開いた状態の場合、第一のドア開閉検知手段１１０ａの接点は開状態となり、また第二のドア開閉検知手段１１０ｂの信号が制御装置１３６の制御回路１３５に伝送され、電源回路１３４から静電霧化装置１１５の高電圧発生回路部１２５への出力電圧が遮断される。
【００４１】
それにより、霧化部１３１の印加電極１２３や対向電極１２４及びその周辺にある構造対や収納物は基準電位以下に抑制される。
【００４２】
以上のように、冷蔵庫１０１の野菜室１０７に設けた静電霧化装置１１５によって野菜室１０７の保鮮を行う場合、霧化部１３１と高電圧発生回路部１２５からなる静電霧化装置１１５と、高電圧発生回路部１２５に電源供給を行う電源回路１３４と冷蔵庫の制御を行う制御回路１３５とからなる制御装置１３６と、接点を有した第一のドア開閉検知手段１１０ａと、第二のドア開閉検知手段１１０ｂによって、制御装置１３６の制御回路１３５からの信号により電源供給を遮断する手段とを組み合わせて用いることにより、冷蔵庫のドアを開けた場合、高圧電源の供給が停止されると共に供給経路も同時に遮断されることで、何らかの原因で一方の機能が作動しなくても他方の機能が作動することで、確実に帯電部やその周辺にある構造体や収納物を基準電位以下に抑制することができ、さらに安全性を向上させることが可能となる。
【産業上の利用可能性】
【００４３】
以上のように、本発明は冷蔵庫以外にも、密閉空間で高電圧発生回路を使用する機器、例えばエアコン、空気清浄機等の家電製品を始め、自動車や設備機器等についても応用できるものである。
【図面の簡単な説明】
【００４４】
【図１】本発明の実施の形態１における冷蔵庫の側断面図
【図２】本発明の実施の形態１における野菜室の側断面図
【図３】本発明の実施の形態１における冷蔵庫の制御ブロック図
【図４】本発明の実施の形態２における冷蔵庫の制御ブロック図
【図５】従来の液体噴霧装置の概要構成図
【図６】従来の液体噴霧装置の構造図
【図７】従来の液体噴霧装置の構造図
【符号の説明】
【００４５】
１０１  冷蔵庫
１０４ｃ  野菜室扉
１１０  ドア開閉検知手段
１１０ａ  第一のドア開閉検知手段
１１０ｂ  第二のドア開閉検知手段
１１５  静電霧化装置
１２５  高電圧発生回路
１３１  霧化部
１３４  電源回路
１３５  制御回路
１３６  制御装置
【図３】
2008286462.tif 000003
【図４】
2008286462.tif 000004
【図１】
2008286462.tif 000005
【図２】
2008286462.tif 000006
【図５】
2008286462.tif 000007
【図６】
2008286462.tif 000008
【図７】
2008286462.tif 000009